(57)【要約】【課題】入力操作しやすい情報入力装置を得ること。【解決手段】情報入力装置１０は、情報を表示する表示部２０と、入力候補としての文字を含む複数の単位情報を表示部２０に一覧表示させる第１表示制御部３０と、表示部２０上におけるユーザーの視線位置を検出する視線検出部３０と、表示部２０が設けられた面と反対側の面に設けられたタッチパッド１４と、タッチパッド１４で操作が検出された時点で視線検出部３０によって検出されている視線位置に基づいて、複数の単位情報の中から所定の単位情報を入力情報として入力する情報入力部３０と、を備える。【選択図】図２
2014149721.tif 000002
【特許請求の範囲】
【請求項１】
情報を表示する表示部と、
入力候補としての文字を含む複数の単位情報を前記表示部に一覧表示させる第１表示制御部と、
前記表示部上におけるユーザーの視線位置を検出する視線検出部と、
前記表示部が設けられた面と反対側の面に設けられたタッチパッドと、
前記タッチパッドで操作が検出された時点で前記視線検出部によって検出されている視線位置に基づいて、前記複数の単位情報の中から所定の単位情報を入力情報として入力する情報入力部と、
を備えることを特徴とする情報入力装置。
【請求項２】
請求項１に記載の情報入力装置において、
前記複数の単位情報はかな文字を含み、
前記選んだかな文字群のみを前記表示部に表示させる第２表示制御部をさらに備え、
前記情報入力部は、前記タッチパッドで操作が検出された時点で前記視線検出部によって検出されている視線位置に基づいて、前記かな文字群から漢字を含む文字へ変換して入力情報とする、ことを特徴とする情報入力装置。
【請求項３】
請求項２に記載の情報入力装置において、
前記かな文字群から漢字を含む文字への変換候補を前記表示部に表示させる第３表示制御部をさらに備え、
前記情報入力部は、前記タッチパッドで操作が検出された時点で前記視線検出部によって検出されている視線位置に基づいて、前記変換候補の中から所定の漢字文字を選んで入力情報とする、ことを特徴とする情報入力装置。
【請求項４】
情報を表示する表示部と、
入力候補としての文字を含む複数の単位情報を前記表示部に一覧表示させる表示制御部と、
前記表示部上におけるユーザーの視線位置を検出する視線検出部と、
前記視線検出部によって検出されている視線位置に基づいて、前記複数の単位情報の中から所定の単位情報を入力情報として入力する情報入力部と、
前記表示部が設けられた面と反対側の面に設けられたタッチパッドと、を備え、
前記表示制御部は、前記タッチパッドで操作が検出されると、前記表示部における表示倍率を変化させることを特徴とする情報入力装置。
【請求項５】
請求項４に記載の情報入力装置において、
前記視線検出部は、前記タッチパッドで操作が検出されると、所定時間視線検出を中断してから視線検出を再開することを特徴とする情報入力装置。
【発明の詳細な説明】
【技術分野】
【０００１】
本発明は、情報入力装置に関する。
【背景技術】
【０００２】
ユーザーの視線を検出して文字などの情報を入力する情報入力装置が知られている（特許文献１参照）。情報入力装置は、ディスプレイに入力候補となる複数の文字を表示させた状態で、ディスプレイ上を見つめるユーザーの視線を検出する。そして、決定ボタンが押下された時点でユーザーの視線に対応する文字を入力する。
【０００３】
一方、高機能携帯電話機やタブレット型端末など、筐体の表面を覆うディスプレイが操作部を兼ねるように構成された電子機器が広く普及している。一般に、このような電子機器を片手で持つ場合、筐体のディスプレイ面を親指で支え、筐体の反対面を他の指で支えるなどして両面から挟み持つ。
【先行技術文献】
【特許文献】
【０００４】
【特許文献１】特開２０１０−２６７０７１号公報
【発明の概要】
【発明が解決しようとする課題】
【０００５】
発明者は、上記のように片手で筐体の両面を挟み持つ電子機器に対して、上述した情報入力技術を適用させようとした場合には、電子機器を挟み持つ手でディスプレイ上に表示する決定ボタンをタップ操作するのが困難である点に着目した。
【課題を解決するための手段】
【０００６】
本発明による情報入力装置は、情報を表示する表示部と、入力候補としての文字を含む複数の単位情報を表示部に一覧表示させる第１表示制御部と、表示部上におけるユーザーの視線位置を検出する視線検出部と、表示部が設けられた面と反対側の面に設けられたタッチパッドと、タッチパッドで操作が検出された時点で視線検出部によって検出されている視線位置に基づいて、複数の単位情報の中から所定の単位情報を入力情報として入力する情報入力部と、を備えることを特徴とする。
【発明の効果】
【０００７】
本発明によれば、入力操作しやすい情報入力装置を提供できる。
【図面の簡単な説明】
【０００８】
【図１】本発明の一実施の形態による情報入力装置の外観を例示する図であり、図１(a)は正面図、図１(b)は背面図である。
【図２】図１の情報入力装置の要部構成を例示するブロック図である。
【図３】入力画面を例示する図である。
【図４】拡大表示した一覧表示画面を例示する図である。
【図５】変形例５の情報処理装置の入力画面を例示する図である。
【図６】変形例５の情報処理装置の入力画面を例示する図である。
【発明を実施するための形態】
【０００９】
以下、図面を参照して本発明を実施するための形態について説明する。図１は、本発明の一実施の形態による情報入力装置１０の外観を例示する図であり、図１(a)は正面図、図１(b)は背面図である。情報入力装置１０は、例えば、スマートフォンと呼ばれる高機能携帯電話機の背面側にタッチパッド１４を設けた上で、公知の視線検出機能を追加することによって構成されている。
【００１０】
図１(a)において、情報入力装置１０の正面に、カメラ１１と、光源１２と、表示・入力部２０と、が設けられる。図１(b)において、情報入力装置１０の背面に、カメラ１３と、タッチパッド１４とが設けられる。
【００１１】
図１(a)のカメラ１１は、情報入力装置１０で視線検出機能を使用する際に視線検出用カメラとして使用される。カメラ１１はさらに、情報入力装置１０でテレビ電話機能を使用する際に、ユーザー撮影用カメラとしても使用される。
【００１２】
光源１２は、表示・入力部２０の表示画面を見るユーザーの眼に赤外光を照射する発光ダイオード（ＬＥＤ）によって構成される。光源１２は、情報入力装置１０で視線検出機能を使用する際に発光する。表示・入力部２０は、画面表示部２４に画像やアイコン２１などを表示するディスプレイ機能と、ユーザーによる接触操作を受け付ける操作部機能とを兼ね備えたタッチパネル液晶ディスプレイによって構成される。
【００１３】
表示・入力部２０は情報入力装置１０の筐体正面を覆うように設けられており、画面表示部２４は、表示面かつ操作面である。表示・入力部２０は、ユーザーの指で画面表示部２４が接触操作されると、接触部の静電容量の変化に基づいて、接触操作されたこと、および接触位置を示す検出信号を出力する。
【００１４】
情報入力装置１０は、表示・入力部２０の画面表示部２４に表示しているアイコン２１に対応づけられているプログラムを起動させることにより、電話機能やメール機能、カメラ機能など、起動プログラムによって実現される機能を発揮する。なお、図１(a)に例示する画面表示部２４の表示内容は、いわゆるホーム画面の例である。
【００１５】
図１(b)のカメラ１３は、情報入力装置１０でカメラ機能を発揮する際に撮影用カメラとして使用される。タッチパッド１４は、ユーザーの指で表面が接触操作されると、静電容量の変化に基づいて、接触操作されたこと、および接触位置を示す検出信号を出力する。
【００１６】
図２は、図１の情報入力装置１０の要部構成を例示するブロック図である。図２において、情報入力装置１０は、表示・入力部２０と、制御部３０と、上記カメラ１１，１３と、上記光源１２と、上記タッチパッド１４と、通信部１５とを有する。
【００１７】
＜表示・入力部２０＞
表示・入力部２０は、位置検出部２５と、入力情報表示部２２と、一覧表示部２３と、画面表示部２４と、を含む。位置検出部２５は、指による接触位置を示す位置検出信号と、表示制御部３３が有する表示情報（表示・入力部２０の画面表示部２４のどこに、何を表示させているかを示す情報）とに基づいて、表示・入力部２０の画面上の対象（アイコン２１または後述する入力単位情報）を特定する。画面表示部２４は、上述したように表示面かつ操作面である。入力情報表示部２２および一覧表示部２３は、それぞれ文字入力が必要なときに画面表示部２４に表示される。文字入力の詳細については後述する。
【００１８】
＜制御部３０＞
制御部３０は、視線検出部３１と、プログラム実行部３２と、表示制御部３３と、通信制御部３４と、を含み、情報入力装置１０内の各部の動作を制御する。視線検出部３１は、視線検出用として動作するカメラ１１で取得された画像に基づいて、表示・入力部２０の画面上においてユーザーが見つめる位置を検出する。具体的には、ユーザーの眼の瞳孔で反射される赤外光の画像に基づいて、ユーザーの視線方向、ひいては表示・入力部２０の画面上でユーザーが見ている位置を検出する。
【００１９】
視線検出部３１は、表示制御部３３が有する表示情報（表示・入力部２０の画面上のどこに、何を表示させているかを示す情報）を参照することにより、ユーザーが見ている画面上の対象（図１(a)のアイコン２１または後述する入力単位情報）を特定する。本実施形態の情報入力装置１０は、視線検出機能を備えたことにより、表示・入力部２０の画面表示部２４がユーザーの指で接触操作されなくても、視線入力によって表示・入力部２０の画面上の対象を特定できる。
【００２０】
プログラム実行部３２は、上記アイコン２１に対応づけられているプログラムを実行する。プログラム実行部３２が実行するプログラムは、上記視線検出部３１で特定されたアイコン２１や、表示・入力部２０の位置検出部２５によって特定されたアイコン２１に対応づけられているプログラムである。
【００２１】
表示制御部３３は、表示・入力部２０の画面表示部２４に、画像やアイコン２１などを表示させる。また、表示制御部３３は、視線検出部３１によって特定された対象をユーザーへ視覚的に知らせるため、特定対象を示すマーク２１Ｂを画面表示部２４に表示させる。さらに表示制御部３３は、文字入力が必要なとき（後述）に、入力情報表示部２２および一覧表示部２３を画面表示部２４に表示させる。通信制御部３４は、通信部１５による外部機器との通信を制御する。
【００２２】
＜通信部１５＞
通信部１５は、通信制御部３４からの指示に応じて無線通信を行う。通信部１５は、無線ＬＡＮ(Local Area Network)のアクセスポイントを介した通信と、携帯電話回線網を経由した通信とが可能に構成されている。
【００２３】
＜文字情報入力＞
本実施形態の情報入力装置１０は、視線検出機能を使用した文字情報の入力処理に特徴を有するので、以降の説明はこの点を中心に行う。制御部３０は、情報入力装置１０で文字入力が必要なとき（例えば、電話番号や相手の名称などを登録するとき、メール文を入力するときなど）に、入力画面である入力情報表示部２２および一覧表示部２３を、自動的に画面表示部２４に表示させる。制御部３０はさらに、カメラ１１に所定のフレームレート（例えば３０ｆｐｓ）で撮像を繰り返し行わせるとともに、カメラ１１による撮像タイミングに合わせて光源１２を間欠発光させる。
【００２４】
図３は、入力情報表示部２２および一覧表示部２３を例示する図である。一覧表示部２３には、入力単位情報２７が並べて一覧表示される。入力単位情報２７は、文字種類として「ひらがな」、「カタカナ」、「アルファベット」、「数字、記号」、「文字フォントの種類」、「顔文字」などが選択可能に構成される。図３は「ひらがな」が選択されている状態を示す。この場合の入力単位は「ひらがな」を構成する１文字である。
【００２５】
ユーザーが一覧表示部２３に表示されている対象を注視すると、視線検出部３１は、カメラ１１で取得された赤外光の画像に基づいて、一覧表示部２３におけるユーザーの視線の位置を検出する。表示制御部３３は、視線検出部３１によって特定された対象をユーザーへ視覚的に知らせるため、特定対象を示すマーク２７Ｂを一覧表示部２３に表示させる。
【００２６】
ユーザーは、目当ての対象の表示位置とマーク２７Ｂの位置とが合致している状態で、背面のタッチパッド１４をタップ操作する。具体的には、画面表示部２４の邪魔にならない位置を親指で支え、タッチパッド１４を人差し指から小指までの各指で支え持ちながら、タッチパッド１４側でいずれかの指（例えば人差し指）をタッチパッド１４から一旦浮かせてからタッチパッド１４の面をタップ操作する。
【００２７】
制御部３０は、タッチパッド１４からの操作信号が入力された時点で視線検出部３１が特定している対象（例えばひらがな文字「ひ」）を入力（図示しないメモリに記憶）する。ここでは、タップ操作のタイミングを得るためにタッチパッド１４からの操作信号を用いており、タッチパッド１４上におけるタップ位置情報については必要としない。
【００２８】
制御部３０は、入力した対象（ひらがな文字「ひ」）を画面表示部２４の入力情報表示部２２に表示させる。このような視線検出およびタッチパッド１４からのタップ操作検出を繰り返すことにより、図３に示すように、３つのひらがな文字「ひしょ」が入力される。
【００２９】
ユーザーが入力情報表示部２２に表示されている「変換」ボタン２６を注視すると、視線検出部３１は、カメラ１１で取得された赤外光の画像に基づいて、入力情報表示部２２におけるユーザーの視線の位置を検出する。そして、表示制御部３３は、視線検出部３１によって「変換」ボタン２６が特定されていることを視覚的にユーザーへ知らせるため、特定対象を示すマークを入力情報表示部２２に表示させる。
【００３０】
特定対象を示すマークの位置が「変換」ボタン２６の表示位置に合致している状態でユーザーが背面のタッチパッド１４をタップ操作すると、制御部３０は、図示しないＲＯＭにあらかじめ格納されている辞書データに基づいて、入力情報表示部２２に表示されているひらがな文字「ひしょ」に対して、かな→漢字変換を行う。制御部３０は、複数の変換候補が存在する場合は、例えば「秘書」、「避暑」、「秘所」というように、複数の変換候補を入力情報表示部２２に並べて表示させる。
【００３１】
ユーザーが入力情報表示部２２に表示されている漢字文字「秘書」を注視すると、視線検出部３１は、カメラ１１で取得された赤外光の画像に基づいて、入力情報表示部２２におけるユーザーの視線の位置を検出する。そして、表示制御部３３は、視線検出部３１によって漢字文字「秘書」が特定されていることをユーザーへ視覚的に知らせるため、特定対象を示すマークを入力情報表示部２２に表示させる。
【００３２】
特定対象を示すマークの位置が漢字文字「秘書」の表示位置に合致している状態でユーザーが背面のタッチパッド１４をタップ操作すると、制御部３０は、漢字文字「秘書」を入力（図示しないメモリに記憶）する。制御部３０は、入力内容（漢字文字「秘書」）を画面表示部２４の入力情報表示部２２に表示させる。このような視線検出およびタッチパッド１４からのタップ操作検出を繰り返すことにより、ひらがな文字の入力、かな→漢字変換を行う。
【００３３】
なお、一覧表示部２３に表示されている対象のうち、「文字種類」は異なる文字種類の一覧表示を一覧表示部２３に表示させるためのものであり、「数字記号」は数字および記号の一覧表示を一覧表示部２３に表示させるためのものである。また、対象のうち「消す」は入力済みの文字を取消すためのものであり、矢印で示される対象は「Enter」に相当し、かな→漢字変換せずに入力するためのものである。
【００３４】
制御部３０は、ユーザーが背面のタッチパッド１４をダブルタップ操作すると、入力画面の表示を終了させる。具体的には、画面表示部２４から入力情報表示部２２および一覧表示部２３の表示を終了させる。制御部３０はさらに、カメラ１１による視線検出用の撮像を終了させ、光源１２の間欠発光を終了させる。
【００３５】
なお、制御部３０は、入力画面の終了後にユーザーが背面のタッチパッド１４をタップ操作した場合も、再び画面表示部２４に入力画面である入力情報表示部２２および一覧表示部２３を表示させる。加えて、カメラ１１に所定のフレームレート（例えば３０ｆｐｓ）で撮像を繰り返し行わせるとともに、カメラ１１による撮像タイミングに合わせて光源１２を間欠発光させる。以降、上述した場合と同様に文字入力操作を受け付ける。
【００３６】
以上説明した実施形態によれば、次の作用効果が得られる。
（１）情報入力装置１０は、情報を表示する表示・入力部２０と、入力候補としての文字を含む複数の入力単位情報２７を表示・入力部２０に一覧表示させる制御部３０（３３）と、表示・入力部２０におけるユーザーの視線位置を検出する制御部３０（３１）と、表示・入力部２０が設けられた面と反対側の面に設けられたタッチパッド１４と、タッチパッド１４で操作が検出された時点で制御部３０（３１）によって検出されている視線位置に基づいて、複数の入力単位情報２７の中から所定の単位情報を入力情報として入力する制御部３０と、を備える。これにより、入力操作しやすい情報入力装置１０が得られる。すなわち、筐体の両面を片手で挟み持ちながら、筐体背面のいずれかの指を一旦離してタップ操作するだけで順次入力し得る。手のひらに情報入力装置１０をのせるような不安定な操作でなく、機器両面を挟み持ったまま片手で操作できる。さらに、タップ操作後次の入力単位情報２７へ視線を移動できることから、所定時間注視を続ける方式の視線入力に比べて短時間で入力できる。
【００３７】
（２）上記（１）の情報入力装置１０において、複数の入力単位情報２７はかな文字を含み、選んだかな文字群のみを表示・入力部２０に表示させる制御部３０（３３）をさらに備え、制御部３０は、タッチパッド１４で操作が検出された時点で制御部３０（３１）によって検出されている視線位置に基づいて、かな文字群から漢字を含む文字へ変換して入力情報とする。これにより、入力操作しやすい情報入力装置１０が得られる。
【００３８】
（３）上記（２）の情報入力装置１０において、かな文字群から漢字を含む文字への変換候補を表示・入力部２０に表示させる制御部３０（３３）をさらに備え、制御部３０は、タッチパッド１４で操作が検出された時点で制御部３０（３１）によって検出されている視線位置に基づいて、変換候補の中から所定の漢字文字を選んで入力情報とする。これにより、入力操作しやすい情報入力装置１０が得られる。
【００３９】
（変形例１）
上述した説明では、特定対象を示すマークの位置が「変換」ボタン２６の位置と合致している状態でユーザーが背面のタッチパッド１４をタップ操作すると、制御部３０が辞書データに基づいて、かな→漢字変換の複数の変換候補「秘書」、「避暑」、「秘所」を並べて入力情報表示部２２に表示させるようにした。この代わりに、ユーザーによる背面のタッチパッド１４の１回目の操作で入力情報表示部２２に変換候補「秘書」を表示し、特定対象を示すマークの位置が変換候補「秘書」の表示位置と合致しない状態におけるタッチパッド１４の２回目の操作で入力情報表示部２２に変換候補「秘書」に代えて変換候補「避暑」を表示させてもよい。
【００４０】
制御部３０はさらに、特定対象を示すマークの位置が変換候補「避暑」の表示位置に合致しない状態におけるタッチパッド１４の３回目の操作で入力情報表示部２２に変換候補「避暑」に代えて変換候補「秘所」を表示させる。
【００４１】
変形例１の制御部３０は、特定対象を示すマークの位置が漢字文字「秘所」の表示位置に合致している状態でユーザーが背面のタッチパッド１４をタップ操作すると、漢字文字「秘所」を入力（図示しないメモリに記憶）する。制御部３０は、入力内容（漢字文字「秘所」）を画面表示部２４の入力情報表示部２２に表示させる。このような視線検出およびタッチパッド１４からのタップ操作検出を繰り返すことにより、ひらがな文字の入力、かな→漢字変換を行う。このように、変形例１の場合においても入力操作しやすい情報入力装置１０が得られる。
【００４２】
（変形例２）
ユーザーが背面のタッチパッド１４をタップ操作するこの代わりに、検出されているユーザーの視線が同じ位置に所定時間（例えば２秒間）留まった場合に、その視線位置に該当する単位情報を入力するようにしてもよい。
【００４３】
さらに、変形例２の制御部３０は、ユーザーが背面のタッチパッド１４をタップ操作すると、視線検出部３１が検出している視線の位置を拡大中心として、一覧表示部２３に表示する単位情報を、例えば約２倍に拡大表示させる。図４は、拡大表示した一覧表示画面を例示する図である。拡大表示することで、視線方向の検出精度を高めることができる。また、ユーザーにとっても、例えば移動するクルマや電車の中において視線入力がしやすくなる。
が抑えられる。
【００４４】
一方、変形例２の制御部３０は、ユーザーが正面から表示・入力部２０の画面表示部２４をタップ操作すると、視線検出部３１が検出している視線の位置を縮小中心として、一覧表示部２３に表示する単位情報を縮小表示させる。
【００４５】
また、変形例２の制御部３０は、視線検出部３１による視線検出を、一覧表示部２３に表示する単位情報の拡大表示や縮小表示の際に一旦中断させる（例えばタップ操作後１秒間）。タップ操作による揺れ、拡大表示や縮小表示への切替え時の画面遷移時はユーザーの視線が追従しないことがあるので、タップ揺れ後、画面遷移後において単位情報を注視するユーザーの視線が安定してから視線検出を再開することで、視線方向の誤検出が抑えられる。
【００４６】
なお、ユーザーによる背面のタッチパッド１４のタップ操作に応じて、視線検出部３１が検出している視線の位置を拡大中心として拡大表示をさせる点は、文字入力画面に限らず、例えば画像や地図の表示においても行ってもよい。すなわち、視線検出部３１が検出している視線の位置を拡大中心として、画面表示部２４に表示する画像や地図を拡大表示させる。
【００４７】
この場合の制御部３０は、視線検出部３１が検出している視線の位置を拡大中心として、ユーザーが背面のタッチパッド１４をタップ操作するごとにそれぞれ約１．５倍に拡大表示させる。制御部３０は、視線検出部３１が検出している視線の位置を縮小中心として、ユーザーが正面から表示・入力部２０の画面表示部２４をタップ操作するごとにそれぞれ約１／１．５倍に縮小表示させる。
【００４８】
背面のタッチパッド１４をタップ操作するだけで、拡大表示および縮小表示をサイクリックに行うように構成してもよい。この場合の制御部３０は、ユーザーが背面のタッチパッド１４をタップ操作するごとに、例えば１．５倍ずつ、視線検出部３１が検出している視線の位置を拡大中心として２段階に拡大表示させる。さらに、ユーザーが背面のタッチパッド１４をタップ操作するごとに、１／１．５倍ずつ、視線検出部３１が検出している視線の位置を縮小中心として２段階に縮小表示させる。このように、タッチパッド１４をタップ操作するたびに、拡大→拡大→縮小→縮小→拡大→…をサイクリックに繰り返す。
【００４９】
（変形例３）
変形例３の場合も、視線検出部３１で検出されているユーザーの視線が同じ位置に所定時間（例えば２秒間）留まった場合に、その視線位置に該当する単位情報を入力する。そして、ユーザーが背面のタッチパッド１４をタップ操作すると、視線検出部３１で検出されているユーザーの視線位置にかかわらず、その時点で入力されているひらがな文字を、かな→漢字変換せずに入力する。すなわち、背面のタッチパッド１４のタップ操作を、矢印で示される対象「Enter」が注視されている場合と同様に扱う。このように、変形例３の場合においても入力操作しやすい情報入力装置１０が得られる。
【００５０】
（変形例４）
変形例４の場合も、視線検出部３１で検出されているユーザーの視線が同じ位置に所定時間（例えば２秒間）留まった場合に、その視線位置に該当する単位情報を入力する。そして、ユーザーが背面のタッチパッド１４をタップ操作すると、視線検出部３１で検出されているユーザーの視線位置にかかわらず、一覧表示部２３に表示する単位情報の文字種類を他の文字種類に変更する。すなわち、背面のタッチパッド１４のタップ操作を、異なる文字種類の単位情報を表示するための対象「文字種類」が注視されている場合と同様に扱う。このように、変形例４の場合においても入力操作しやすい情報入力装置１０が得られる。
【００５１】
（変形例５）
上述した実施形態では、高機能携帯電話機の筐体を例に情報入力装置１０を説明したが情報入力装置としてタブレット型端末の筐体を用いることもできる。変形例５では、タブレット型端末の背面側にタッチパッドを設けた上で、公知の視線検出機能を追加することによって情報入力装置１０Ｂを構成する。
【００５２】
図５は、変形例５における情報入力装置１０Ｂの、入力情報表示部２２および一覧表示部２３を例示する図である。一覧表示部２３には、入力単位情報２７が並べて一覧表示される。入力単位情報２７は、文字種類として「ひらがな」、「カタカナ」、「アルファベット」、「数字、記号」、「文字フォントの種類」、「顔文字」などが選択可能に構成される。図５は「アルファベット」が選択されている状態を示す。この場合の入力単位は「アルファベット」を構成する１文字である。
【００５３】
ユーザーが一覧表示部２３に表示されている単位情報を注視すると、視線検出部３１は、カメラ１１で取得された赤外光の画像に基づいて、一覧表示部２３におけるユーザーの視線の位置を検出する。表示制御部３３は、視線検出部３１によって特定された対象をユーザーへ視覚的に知らせるため、特定対象を示すマーク２７Ｂを一覧表示部２３に表示させる。
【００５４】
ユーザーは、目当ての単位情報の位置とマーク２７Ｂの位置とが合致している状態で、背面のタッチパッド１４をタップ操作する。具体的には、情報入力装置１０Ｂの画面表示部２４の邪魔にならない位置を親指で支え、背面側のタッチパッド１４を人差し指から小指までの各指で支え持ちながら、タッチパッド１４側でいずれかの指（例えば人差し指）をタッチパッド１４から一旦浮かせてからタッチパッド１４の面をタップ操作する。あるいは、情報入力装置１０Ｂを挟み持つ手と異なる手の指で、タッチパッド１４の面をタップ操作する。
【００５５】
制御部３０は、タッチパッド１４からの操作信号が入力された時点で視線検出部３１が特定している対象（例えば文字「Hello」）を入力（図示しないメモリに記憶）する。ここでは、タップ操作のタイミングを得るためにタッチパッド１４からの操作信号を用いており、タッチパッド１４上におけるタップ位置情報については必要としない。
【００５６】
図６は、変形例５における情報入力装置１０Ｂの、入力情報表示部２２および一覧表示部２３の他の例を示す図である。図６の場合の入力単位は「ひらがな」を構成する１文字である。上述した実施形態と比べて、一覧表示部２３における入力単位情報２７の配置が異なるだけで文字入力手順は同様であるので、詳細説明は省略する。このように、変形例５の場合においても入力操作しやすい情報入力装置１０Ｂが得られる。
【００５７】
以上の説明はあくまで一例であり、上記の実施形態の構成に何ら限定されるものではない。
【符号の説明】
【００５８】
１０、１０Ｂ…情報入力装置
１１、１３…カメラ
１２…光源
１４…タッチパッド
１５…通信部
２０…表示・入力部
２１Ｂ、２７Ｂ…マーク
２２…入力情報表示部
２３…一覧表示部
２４…画面表示部
２７…入力単位情報
３０…制御部
【図１】
2014149721.tif 000003
【図２】
2014149721.tif 000004
【図３】
2014149721.tif 000005
【図４】
2014149721.tif 000006
【図５】
2014149721.tif 000007
【図６】
2014149721.tif 000008